(57)【要約】【課題】青紫色レーザ光対応の光記録媒体にあって、記録層数を充分大にすることができて大記録容量化を可能にするものである。【解決手段】媒体基体１の表面に、情報凹凸パターン２が形成され、この情報凹凸パターン２上に、多層記録層３を有する構成とされる。この多層記録層３は、青紫色レーザ光の波長の範囲において、情報凹凸パターン２の情報再生がなされる第１の波長の光を透過し、同様の青紫色レーザ光の波長の範囲において、第１の波長とは異なる第２の波長による記録光に対して記録感度を示す記録層４により構成する。記録層４は、所要パワーの第２の波長の光によって、感光反応による記録がなされる感光反応記録層によるか、所要パワーの第２の波長の光によって、発光特性の低下による記録がなされる発光記録層によって構成され、感光反応記録層においては、吸収による熱による記録によらないことから、下層の記録層に対して高い感度をもって記録を行うことができ、発光記録層によるときは、高い再生出力が得られることから、下層の記録層からも十分な再生出力が得られる。【選択図】        図１
2004335060.tif 000002
【特許請求の範囲】
【請求項１】
青紫色レーザ光の照射により、記録または／および再生がなされる光記録媒体であって、
媒体基体表面に、情報凹凸パターンが形成され、
該情報凹凸パターン上に、多層記録層が構成され、
該多層記録層は、上記青紫色レーザ光の波長の範囲において、上記情報凹凸パターンの情報再生がなされる第１の波長の光を透過する構成を有し、
上記多層記録層の各記録層は、上記青紫色レーザ光の波長の範囲において、上記第１の波長とは異なる第２の波長を吸収し、感光反応による記録がなされる感光反応記録層によるか、
上記青紫色レーザ光の波長の範囲において、上記第１の波長とは異なる第２の波長を吸収し、発光特性を低下させる記録がなされる発光記録層によることを特徴とする光記録媒体。
【請求項２】
上記第１の波長は、４２０ｎｍ〜４４０ｎｍであり、
上記第２の波長は、４００ｎｍ〜４２０ｎｍであって、相互に異なる波長より選定して成ることを特徴とする請求項１に記載の光記録媒体。
【請求項３】
上記情報凹凸パターンは、上記多層記録層の各記録層に対する記録および再生におけるトラッキングに用いるトラッキングサーボ信号を少なくとも含む情報を有することを特徴とする請求項１に記載の光記録媒体。
【請求項４】
上記発光記録層は、上記第２の波長の光を吸収して励起発光し、所要パワーの上記第２の波長の光によって発光特性が低下する蛍光体層であることを特徴とする請求項１に記載の光記録媒体。
【請求項５】
請求項１に記載の光記録媒体が、遮光性カートリッジ内に収容されたことを特徴とする光記録媒体。
【請求項６】
光記録媒体に対して、青紫色レーザ光を照射して、記録または／および再生がなされる光記録再生装置であって、
上記青紫色レーザ光において互いに波長を異にする第１および第２の各波長の光を発生する第１および第２の光源部を有する第１および第２の光学系と、
これら両光学系に対して共通の対物レンズとを有し、
上記光記録媒体としては、
青紫色レーザ光の照射により、記録または／および再生がなされる光記録媒体であって、
媒体基体表面に、情報凹凸パターンが形成され、
該情報凹凸パターン上に、多層記録層が構成され、
該多層記録層は、上記青紫色レーザ光の波長の範囲において、上記情報凹凸パターンの情報再生がなされる第１の波長の光を透過する構成を有し、
上記多層記録層の各記録層は、上記青紫色レーザ光の波長の範囲において、上記第１の波長とは異なる第２の波長を吸収し、感光反応による記録がなされる感光反応記録層によるか、
上記青紫色レーザ光の波長の範囲において、上記第１の波長とは異なる第２の波長を吸収し、発光特性を低下させる発光記録層による光記録媒体が用いられ、上記情報凹凸パターンは、上記多層記録層の各記録層に対する記録および再生におけるトラッキングサーボ信号を少なくとも含み、上記多層記録層の各記録層に対する記録再生において、上記第１の波長の光によって再生されて、トラッキング制御がなされることを特徴とする光記録再生装置。
【請求項７】
上記第１および第２の波長の光は、これら第１および第２に関わる光学系により、上記光記録媒体に対する合焦点位置を、上記光記録媒体の深さ方向に相違するように選定されて成ることを特徴とする請求項６に記載の光記録再生装置。
【請求項８】
上記第２の波長の光は、該第２の波長の光に関わる光学系に、上記光記録媒体の上記多層記録層の各記録層にそれぞれ合焦点調整させる機能を有することを特徴とする請求項６に記載の光記録再生装置。
【請求項９】
上記第１の波長は、４２０ｎｍ〜４４０ｎｍであり、
上記第２の波長は、４００ｎｍ〜４２０ｎｍであって、相互に異なる波長より選定して成ることを特徴とする請求項６に記載の光記録再生装置。
【請求項１０】
上記発光記録層は、上記第２の波長の光を吸収して励起発光し、所要パワーの上記第２の波長の光によって発光特性が低下する蛍光体層であることを特徴とする請求項６に記載の光記録再生装置。
【請求項１１】
上記多層記録層を一括消去する消去手段を具備することを特徴とする請求項６に記載の光記録再生装置。
【発明の詳細な説明】
【０００１】
【発明の属する技術分野】
本発明は、大記録容量化を図った光記録媒体および光記録再生装置に関わる。
【０００２】
【従来の技術】
光記録ディスクにおける記録層としては、相変化材料、色素材料等が広く用いられている。これらは、レーザ光の照射によって、記録層にレーザ光の吸収による発熱によって、反射率変化、形状変化等を生じさせることによる記録マークの形成がなされる。
ところで、光記録ディスクにおいて、大記録容量化の要求によって、上述した記録層を積層した多層記録層構造とすることの提案がなされている。
しかしながら、この場合において、上述した記録層を積層することは、各記録層におけるレーザ光の吸収や反射によって下層の記録層に対するレーザ光の照射が阻害され、エラーや、ノイズが大となり、３層以上の積層は、記録や、再生が困難となる。
【０００３】
また、光透過率の高い、色素系の記録層を用いる場合においても、光吸収から、実際には、６層以上の積層は困難である。
また、透明媒体を記録する方式として、２光子吸収などにより光記録が可能であるが、フェムト秒レーザなどのようにレーザパワーの尖頭値が著しく高く、特殊で、かつ高価なレーザが必要である。
【０００４】
更に、色素とフォトクロミック材料を用い、多層の記録、再生などが提案されているが、記録にＴｉ：サファイヤレーザを用いるとか、Ｎｄ：ＹＡＧレーザを用い、蛍光を発光することがないようにする記録手法によるものであり、大掛かりで、高価な光源を必要とする。
また、蛍光媒体を紫外線レーザ光などで記録し、多層のＲＯＭ（Ｒｅａｄ  Ｏｎｌｙ  Ｍｅｍｏｒｙ）ディスクを形成することの提案もなされている。
しかしながら、この場合においても、小型で安価な記録方式によるものではない。
また、多層記録がなされ、各層に対するフォーカシングや、トラッキングなどのサーボを行うガイド面が基板に設けられた構造による光記録媒体の提案もなされている（例えば特許文献１参照）。
【０００５】
【特許文献１】
特開平４−３０１２２６号公報、（第１欄、請求項１）
【０００６】
【発明が解決しようとする課題】
上述したように、多層記録層による光記録媒体として種々の提案がなされているが、いずれも、その記録層の積層数が余り多くとれないとか、装置が大掛かりとなり、高価となるなどの問題がある。
本発明においては、更に、大記録容量とし、また、その記録再生装置の少なくとも光源部を小型廉価に構成することができる光記録媒体および光記録再生装置を提供するものである。
【０００７】
すなわち、大記録容量化の光記録媒体として、ＤＶＤ（Ｄｉｇｉｔａｌ  Ｖｅｒｓａｔｉｌｅ  Ｄｉｓｃ）の次の世代を担う青紫色レーザ光を用いる記録媒体、例えばＢｌｕ−ｒａｙ  Ｄｉｓｃと呼称される光ディスクが注目されている。この光記録媒体においては、その記録再生を半導体による青紫色レーザ光によって行うものであることから、その記録再生装置が、小型、廉価に構成することができる。
【０００８】
本発明は、このような青紫色レーザ光対応の光記録媒体と、その記録または／および再生がなされる装置（本明細書においては、記録再生装置と呼称する。）であり、その光記録媒体の記録層数を充分大にすることができて大記録容量化を可能にし、更に、この光記録媒体に対する記録または／および再生を行う記録再生装置を小型廉価に構成することを可能にするものである。
【０００９】
【課題を解決するための手段】
本発明による光記録媒体は、青紫色レーザ光の照射により、記録または／および再生がなされる光記録媒体であって、媒体基体表面に、情報凹凸パターンが形成され、この情報凹凸パターン上に、多層記録層を有する構成とされる。
そして、この多層記録層は、青紫色レーザ光の波長の範囲において、情報凹凸パターンの情報再生がなされる第１の波長の光を透過し、同様の青紫色レーザ光の波長の範囲において、第１の波長とは異なる第２の波長による記録光に対して記録感度を示す記録材料層より構成する。第１の波長は、上述したように、青紫色レーザ光の例えば４２０ｎｍ〜４４０ｎｍから選定され、第２の波長は、同様に青紫色レーザ光のうちの第１の波長とは異なる４００ｎｍ〜４２０ｎｍから選定される。
【００１０】
これら記録層は、所要パワーの第２の波長の光によって、感光反応による記録がなされる感光反応記録層によるか、所要パワーの第２の波長の光によって、発光特性の低下による記録がなされる発光記録層によって構成される。
【００１１】
また、本発明による記録再生装置は、上述した本発明構成による光記録媒体に対する記録または／および再生を行うものであり、青紫色レーザ光において互いに波長を異にする第１および第２の各波長の光を発生する第１および第２の光源部を有する第１および第２の光学系と、これら両光学系に対して共通の対物レンズとを有して成る。
【００１２】
上述の本発明による光記録媒体によれば、短波長の青紫色レーザ光が用いられ、高解像記録が可能であり、かつ多層記録層構造としたことにより、大容量光記録媒体が構成される。
そして、本発明による光記録媒体においては、多層記録層の記録層が、感光反応層によるか、発光層によって構成されていることから、感光反応層によるときは、冒頭に述べたレーザ光吸収による熱による記録によらないことから、下層の記録層に対して高い感度をもって記録を行うことができ、発光記録層によるときは、高い再生出力が得られることから、下層の記録層からも十分な再生出力が得られる。
したがって、本発明によれば、十分層数の多い多層記録層を得ることができる。
【００１３】
また、本発明による記録再生装置は、上述した本発明による光記録媒体の記録再生装置であり、上述した第１および第２の波長の光を用いるものの、多層記録層が、第１の波長の光を透過する構成としたことから、第１および第２の光を光記録媒体の記録層を有する側から照射させる構成とすることによって、共通の対物レンズを配置した構成とするものである。
【００１４】
【発明の実施の形態】
本発明による光記録媒体および光記録再生装置の実施の形態を説明する。しかしながら本発明は、この実施の形態に限られるものではない。
まず、光記録媒体の実施の形態について、図１の概略断面図を参照してＢｌｕ−ｒａｙ対応の光ディスクについて説明する。この光ディスクは、ＷＯ（Ｗｒｉｔｅ  Ｏｎｃｅ）型の光ディスク構成による。
【００１５】
［光記録媒体の第１の実施の形態］
この場合、光ディスク、すなわち光記録媒体１１を構成する媒体基体１、例えばポリカーボネート等よりなる基板の１主面に、少なくともトラッキングサーボ信号の情報を得るトラッキングサーボ用グルーブあるいはピット列による情報凹凸パターン２が形成される。
この情報凹凸パターン２は、通常の光ディスクにおけるデータ情報、トラッキングサーボ用のグルーブ等の凹凸パターンの形成方法と同様に、例えば射出成型法によって媒体基体１の成型と同時に、この基体自体の表面に形成するとか、基体表面に形成したフォトレジストに凹凸パターンを形成する２Ｐ（Ｐｈｏｔｏｐｏｌｙｍｅｒｉｚａｔｉｏｎ）等によって形成することができる。
あるいは、ガラス基板等によって、媒体基体１を形成する場合は、パターンエッチングによって形成することができる。
この情報凹凸パターン上には、図示しないが、必要に応じて金属反射膜を形成することができる。
【００１６】
そしてこの媒体基体１の情報凹凸パターン２が形成された主面上に、全体的厚さが、例えばＢｌｕ−ｒａｙの仕様におけるカバー層に相当する厚さの、例えば１００μｍとする多層記録層３を構成する。
多層記録層３は、青紫色レーザ光の波長の範囲において、第１の波長例えば４２０ｎｍ〜４４０ｎｍの波長範囲の特定波長に対して光透過性を有し、複数の記録層４が、スペーサ層５と更に表面層６とが相互に積層して構成される。
【００１７】
この記録層４は、感光反応によって光学的特性、特に屈折率変化を生じる感光反応記録層によって構成される。
この感光反応記録層としては、例えば４−ジアゾ−Ｎ−エチル−Ｎ−β−ヒドロキシエチルアニリン，４−ジアゾ−Ｎ−エチル−Ｎ−フェネチルアニリン，４−ジアゾ−Ｎ−エチル−Ｎ−β−フェノキシエチルアニリン，４−ジアゾ−Ｎ−フェニルモルホリン等による感光反応記録層によって構成することができる。
また、スペーサ層５および表面層６は、ＳｉＯ２、ＳｉＮ、ＰＭＭＡ（ポリメチルメタクリレート）等によって形成し得る。
【００１８】
このような構成による光記録媒体１１に対して、第１および第２の波長のレーザ光を、相対的に移動させて走査する。
この場合、上述した第１の波長のレーザ光Ｌ１は、情報凹凸パターン２に、フォーカシングすなわち合焦点させて、この情報凹凸パターン２に記録された情報、例えばトラッキングサーボ信号を読み出す。
一方、記録情報例えばデータ情報によって、オン・オフ変調させた第２の波長のレーザ光Ｌ２を、選択された記録層４にフォーカシングさせ、かつ上述した情報凹凸パターンからのトラッキングサーボ信号によって例えばトラッキング制御して走査し、各記録層に光学特性の屈折率変化を生じさせて、データ情報の記録を行う。
【００１９】
再生にあたっては、同様に第１のレーザ光Ｌ１を情報凹凸パターン２に照射して、トラッキングサーボ信号を得て、これによってトラッキングサーボされ、情報記録時のパワーに比して低パワーとされた第２の波長によるレーザ光Ｌ２を、選択された記録層４に照射し、各記録層４の記録情報を読み出す。
【００２０】
［光記録媒体の第２の実施の形態］
この第２の実施の形態においては、上述した第１の実施の形態と同様の構成によるものの、第１の実施の形態においては、多層記録層３の各記録層４が、感光反応記録層によって構成した場合であるが、この第２の実施形態においては、第１の実施の形態の構成において、その記録層４を発光記録層による構成とするものである。
この発光記録層は、図２にその吸収スペクトルと発光スペクトルを示すように、吸収スペクトルのピークを示す波長λａｂが、上述した４００ｎｍ〜４２０ｎｍの範囲の第２の波長にあり、光吸収および発光をほとんど示すことがない波長λｓが、上述した４２０ｎｍ〜４４０ｎｍの範囲の第１の波長にある。
【００２１】
この発光記録層は、上述した吸収波長の第２の波長のレーザ光を記録光としてそのパワーの選定によって発光機能を低下させて、例えばデータ情報の記録を行う。また、発光記録層の発光機能を低下させることのない、すなわち、記録時のパワーより十分低いパワーの第２の波長のレーザ光によって、図２で示す発光スペクトルの波長λｐｈの発光によって、記録情報の再生を行う。
この発光記録層は、例えば蛍光体層によって形成し得る。
【００２２】
この蛍光体層としては、Ａｌｑ３すなわちアルミニウムキノリノール錯体（ａｌｕｍｉｎａｔｏ−ｔｒｉｓ−８−ｈｙｄｒｏｘｙｑｕｉｎｏｌａｔｅ）によって構成することができる。
ちなみに、この発光体層Ａｌｑ３の吸収発光スペクトルのピーク波長λａｂ、すなわち、第２の波長は、４００ｎｍ近傍の波長であり、吸収が生じことがなく、また、発光の波長とは異なる波長λｓすなわち第１の波長は、４４０ｎｍ近傍である。
また、発光スペクトルのピーク値λｐｈは、５３０ｎｍ近傍であり、その半値幅は約８０ｎｍという広い範囲を示し、この範囲を検出することによって記録層における情報記録の再生を行うことができる。
【００２３】
すなわち、この場合、上述したサーボ信号を取り出す第１の波長のレーザ光Ｌ１として、４４０ｎｍに選定し、各記録層４に対する記録および再生レーザ光Ｌ２は、４００ｎｍ程度例えば４０６ｎｍとする。そして、記録においては、レーザ光のパワーの選定、記録情報によるオン・オフ変調によって、記録情報に応じての照射部に温度上昇を生じさせ、発光記録層を構成する例えばＡｌｑ３を変成して発光特性を低下させることによって情報記録を行う。
そして、これに対する再生光は、発光層による記録層を励起し得る４００ｎｍ近傍の波長に選定し、これによって励起させて、上述した記録部、すなわち変成が生じている部分以外からの励起発光を検出することによって、記録情報の再生を行う。
【００２４】
次に、この光記録媒体１１、すなわち光ディスクに対する記録再生装置の実施の形態を、図３の概略構成３を参照して説明する。
［記録再生装置の実施の形態］
この実施の形態例においては、光記録媒体１１、すなわち光ディスクが、その軸心Ｏを回転中心軸として回転駆動する構成とされている。
一方、前述したサーボ信号、例えばトラッキングサーボ信号を再生する第１の波長および第２の波長のレーザ光Ｌ１およびＬ２、例えば４４０ｎｍおよび４０６ｎｍのレーザ光をそれぞれ発光する例えば半導体レーザによる第１および第２の光源部２１および２２と、これら光源部２１および２２に対応して設けられた光学系３１および３２と、３４と、光学系２１および２２からの第１および第２のレーザ光Ｌ１およびＬ２を、共通の対物レンズ３４に対し光軸上に一致させて向かわせ、かつ光記録媒体１１からの各戻り光を各第１および第２の光学系３１および３２に向かわせる第３の光学系３３とを有する。
【００２５】
第１および第２の光学系３１および３２は、コリメートレンズ４０、アナモルフィックレンズ４１、１／２波長板４２、グレーティングレンズ４３、偏光ビームスプリッタ４４、アフォーカル部４５、球面収差補正素子４６を有して成る。更に、第１および第２の光学系３１および３２と、第３の光学系３３との間の光路上には、それぞれ第１および第２の波長のバンドパスフィルタ４７，５７と、１／４波長板４８とが配置される。
対物レンズ３４は、電磁アクチュエータ３５によって、光軸方向に微調整されるようになされている。この対物レンズ３４は、例えば２群レンズ構成による、その開口数Ｎ．Ａ．０．８５の対物レンズとする。
【００２６】
第３の光学系３３は、所要の角度をもってＶ字状に配置されたダイクロイックミラーが界面に配置されたプリズムより成るいわゆるフィリップス型プリズム３６を有してなる。
【００２７】
一方、第１および第２の光学系３１および３２には、各光源部２１および２２からの各レーザ光の一部を、偏光ビームスプリッタ４４によって分離し、集光レンズ５０と、フォトダイオード等による光検出素子５１が設けられ、各光源部２１および２２の半導体レーザの出力を、光検出素子５１によってそれぞれモニターし、このモニターによる出力によって各半導体レーザの出力を制御するようになされている。
【００２８】
更に、第１および第２光学系３１および３２には、第１および第２のレーザ光の、光記録媒体１１からの戻り光を、偏光ビームスプリッタ４４によってそれぞれ光源部２１および２２からの第１および第２のレーザ光Ｌ１およびＬ２と分離し、それぞれフォトダイオード等の光検出素子６０に向かわせる、コリメートレンズ６１、ホログラムオプティカルレンズ６２、マルチレンズ６２が配置される。
【００２９】
この構成により、例えばデータ情報を、光記録媒体１１の所定の記録層に記録する。この記録は、第１の光源部２１からの、上述した第１の波長のレーザ光Ｌ１を、光学系３１およびプリズム３６を通じて対物レンズ３４によって、光記録媒体１１の情報凹凸パターン２にフォーカシング、すなわち合焦させる。そして、この情報凹凸パターン２の干渉光による戻り光を、プリズム３６によって、第１の光学系３１に導入し、偏光ビームスプリッタ４４によって光検出素子６０に向かわせ、トラッキングサーボ信号を得る。
【００３０】
一方、第２の光源部２２からの、上述した第２の波長のレーザ光Ｌ２を、光学系３２およびプリズム３６を通じて対物レンズ３４によって、光記録媒体１１の選択された記録層４例えば感光反応記録層に、フォーカシングさせる。そして、この感光反応記録層に、所要の情報例えばデータ情報の記録を行う。この場合、上述したトラッキングサーボ信号によって、トラッキングサーボを行いつつ記録がなされる。
【００３１】
また、光記録媒体１１からの記録情報の再生は、上述したと同様に第１のレーザＬ１を情報凹凸パターンにフォーカシングさせて、トラッキングサーボ信号を得て、トラッキングサーボを行いつつ、記録時の第２のレーザ光Ｌ２より低い所要の再生パワーをもって所定の情報記録層２の記録層４にフォーカシングするように、第１および第２に照射し、記録層４からの戻り光を同様に第２の光学系３２の光検出素子６０よって再生信号として取り出す。
【００３２】
上述した記録および再生に際しては、アフォーカル部４５の調整によってレーザ光Ｌ２を、目的とする記録層４に、合焦すなわちフォーカシングさせる。
そして、上述した積層記録層３の記録層４間のスペーサ５の厚さは、対物レンズ３４の焦点深度以上の厚さに選定する
【００３３】
また、光記録媒体１１の多層記録層３の記録層４が、発光記録層とされるときは、例えば第３の光学系３３のプリズム３６を、発光記録層から、励起発光する例えば５３０ｎｍの光を直進透過する構成とし、その進行方向に、再生光をバンドパスフィルタ５２、レンズ５３、ピンホール５４を通じてフォトダイオード等の光検出素子５５に導き、これを検出することができるようにし、発光部と非発光部との差によって、記録情報の再信号を得るようにする。
【００３４】
そして、上述した本発明による記録再生装置においては、各記録層の深さが異なることから球面収差が発生する。そこで、第１および第２の光学系３１および３２には、上述したように、収差補正素子４６が設けられる。
【００３５】
図４においては、収差補正素子４６に代えて、アフォーカル部４５の対のレンズ４５Ａおよび４５Ｂ間に、各記録層４の深さ、すなわち、光記録媒体１１の、対物レンズ３４との対向面から各記録層までの距離に対応する段差を有する収差補正板７０を配置して収差補正を行う構成とすることもできる。
すなわち、この構成において、例えば一方のレンズ４５Ｂを矢印ａに示す光軸方向に移動調整することによって、Ｎ．Ａ調整を行い、矢印ｂに示す光軸と直交する補正板７０の板面方向に移動して、光路上をの板厚を変更することによって収差調整を行うことができる。
【００３６】
上述の記録再生装置においても、通常のように、トラッキングは、電磁アクチュエータ３によって、シークは、光学系全体もしくは光記録媒体とその駆動部の移動によって行う。
【００３７】
なお、本発明は、上述した形態および形態例に限られるものではなく、同一光記録媒体において、感光反応記録層および発光記録層の組み合わせによって多層記録層とすることなど、本発明において、種々の変形、変更を行うことができる。
【００３８】
【発明の効果】
上述したように、本発明による光記録媒体によれば、短波長の青紫色レーザ光が用いられ、高解像記録が可能であり、かつ多層記録層構造としたことにより、大容量光記録媒体が構成される。
そして、本発明による光記録媒体においては、多層記録層の記録層が、感光反応層によるか、発光層によって構成されていることから、感光反応層によるときは、冒頭に述べたレーザ光吸収による熱による記録によらないことから、下層の記録層に対して高い感度をもって記録を行うことができる。そして、発光記録層によるときは、高い再生出力が得られることから、下層の記録層からも十分な再生出力が得られる。
したがって、本発明によれば、上述したように、例えば１０層から２０層の記録層を構成する場合において、１層において２５ＧＢの記録がなされると、５００ＧＢにおよぶ大容量の光記録媒体を構成することができる。
【００３９】
また、本発明による記録再生装置は、上述した本発明による光記録媒体の記録再生装置であり、上述した第１および第２の波長の光を用いるものの、多層記録層が、第１の波長の光を透過する構成としたことから、第１および第２の光を光記録媒体の記録層を有する側から照射させる構成とすることによって、共通の対物レンズを配置した構成とするものである。
【００４０】
そして、第１および第２の光源としては、半導体レーザを用いることができることから、全体として小型に廉価に構成することができる。
【図面の簡単な説明】
【図１】本発明による光記録媒体の一例の要部の概略断面図である。
【図２】本発明による光記録媒体の一例の記録層の吸収および発光スペクトル図である。
【図３】本発明による光記録再生装置の一例の構成図である。
【図４】本発明による光記録再生装置の一例のアフォーカル部の一例の構成図である。
【符号の説明】
１・・・媒体基板、２・・・情報凹凸パターン、３・・・多層記録層、４・・・記録層、５・・・スペーサ層、６・・・表面層、１１・・・光記録媒体、２１・・・第１の光源部、２２・・・第２の光源部、３１・・・第１の光学系、３２・・・第２の光学系、３３・・・第３の光学系、３４・・・対物レンズ、３５・・・電磁アクチュエータ、３６・・・フィリップス型プリズム、４０・・・コリメートレンズ、４１・・・アナモルフィックレンズ、４２・・・１／２波長板、４３・・・グレーティングレンズ、４４・・・偏光ビームスプリッタ、４５・・・アフォーカル部、４６・・・球面収差補正素子、４７，５７・・・バンドパスフィルタ、４８・・・１／４波長板、５０・・・集光レンズ、５１・・・光検出素子、５２・・・バンドパスフィルタ、５３・・・集光レンズ、５４・・・ピンホール、５５，６０・・・光検出素子、６１・・・コリメートレンズ、６２・・・ホログラムオプティカルレンズ、６３・・・マルチレンズ、７０・・・収差補正板、Ｌ１・・・第１の波長のレーザ光、Ｌ２・・・第２の波長のレーザ光
【図１】
2004335060.tif 000003
【図２】
2004335060.tif 000004
【図３】
2004335060.tif 000005
【図４】
2004335060.tif 000006